(57)【要約】【課題】携帯端末の操作者による操作ミスを回避するべく操作性を向上した非接触型ＩＣカード読取システムを提供する。【解決手段】携帯端末と非接触型ＩＣカード読取装置は、携帯端末の非接触型ＩＣカードが配置された面に発光部１、非接触型ＩＣカード読取装置に受光センサ４を備え、非接触型ＩＣカード読取装置に携帯端末が近接した場合にその発光を確認することで、近接した携帯端末が非接触型ＩＣカード配置面を非接触型ＩＣカード読取装置に向けていないことを判断する。【選択図】図２
2009181181.tif 000002
【特許請求の範囲】
【請求項１】
非接触型ＩＣカードが任意の面に配置された携帯端末と、
非接触型ＩＣカード読取装置と、を有する非接触型ＩＣカード読取システムであって、
前記携帯端末は、前記非接触型ＩＣカードが配置された面に発光手段を備え、
前記非接触型ＩＣカード読取装置は、前記携帯端末が近接したことを検知する接近センサと、前記発光手段が発した光を受光する受光センサと、を備えることを特徴とする、非接触型ＩＣカード読取システム。
【請求項２】
前記非接触型ＩＣカード読取装置は、前記接近センサにより前記携帯端末が近接したことを検知したにもかかわらず、前記受光センサによる前記発光手段が発した光の受光が検知されない場合、操作者に向けて注意を喚起する注意喚起手段を、更に備えることを特徴とする、請求項１記載の非接触型ＩＣカード読取システム。
【請求項３】
前記注意喚起手段は、前記接近センサにより前記携帯端末が近接したことを検知した時点から、所定の時間が経過してなお前記受光センサによる検知がない場合、操作者に向けて注意を喚起することを特徴とする、請求項２記載の非接触型ＩＣカード読取システム。
【請求項４】
任意の面に非接触型ＩＣカードと発光手段とが配置された携帯端末の前記非接触型ＩＣカードを読み取るための非接触型ＩＣカード読取装置であって、
前記携帯端末が近接したことを検知する接近センサと、
前記発光手段が発した光を受光する受光センサと、を備えることを特徴とする、非接触型ＩＣカード読取装置。
【請求項５】
前記接近センサにより前記携帯端末が近接したことを検知したにもかかわらず、前記受光センサによる前記発光手段が発した光の受光が検知されない場合、操作者に向けて注意を喚起する注意喚起手段を、更に備えることを特徴とする、請求項４記載の非接触型ＩＣカード読取装置。
【請求項６】
前記注意喚起手段は、前記接近センサにより前記携帯端末が近接したことを検知した時点から、所定の時間が経過してなお前記受光センサによる検知がない場合、操作者に向けて注意を喚起することを特徴とする、請求項５記載の非接触型ＩＣカード読取装置。
【発明の詳細な説明】
【技術分野】
【０００１】
本発明は、非接触型ＩＣカード読取システム及び装置に関し、特に、操作者による操作ミスを回避する技術に関する。
【背景技術】
【０００２】
近時、電子財布機能付きの携帯電話機の普及があり、非接触型ＩＣカードの技術分野においては、万人が使いやすい技術の開発が求められている。したがって、操作者による操作ミスの回避が課題としてあげられる。
【０００３】
従来の非接触型ＩＣカードを備える携帯端末及び非接触型ＩＣカード読取装置（例えば、特許文献１等）においては、非接触型ＩＣカードが読取面に正常にかざされることを前提としている。読取面に、非接触型ＩＣカードが配置された面と反対の面がかざされた場合に注意を喚起する等の機能を備えていないため、上記課題を解決するためには十分ではなかった。
【０００４】
なお、特許文献２には、段落００１８ないし００２０を参照すると、赤外線送信機を備える携行器（「個人が携行するもの」と説明がある）の記載があり、赤外線信号のレベルを判定して携行器の向きを変更することを操作者に促すことを示唆する記載がある（段落００２０）。
【特許文献１】特開２００７−１４０９６６号公報
【特許文献２】特開平１０−３０２０３８号公報
【発明の開示】
【発明が解決しようとする課題】
【０００５】
従来技術では、非接触型ＩＣカードを読み取らせる携帯端末の、非接触型ＩＣカードが配置されている面と異なる面が、操作者による操作ミスによってかざされてしまった場合への対策が、十分ではなかった。その理由は、携帯端末がどのような向きで非接触型ＩＣカード読取装置に接近したのか判断できないからである。
【０００６】
本発明は、上記実情に鑑みて、携帯端末の操作者による操作ミスを回避するべく操作性を向上した非接触型ＩＣカード読取システムを提供することを目的とする。
【課題を解決するための手段】
【０００７】
上記目的を達成するために本発明に係る非接触型ＩＣカード読取システムは、非接触型ＩＣカードが任意の面に配置された携帯端末と、非接触型ＩＣカード読取装置と、を有する非接触型ＩＣカード読取システムであって、前記携帯端末は、前記非接触型ＩＣカードが配置された面に発光手段を備え、前記非接触型ＩＣカード読取装置は、前記携帯端末が近接したことを検知する接近センサと、前記発光手段が発した光を受光する受光センサと、を備えることを特徴とする。
【０００８】
また、本発明に係る非接触型ＩＣカード読取装置は、任意の面に非接触型ＩＣカードと発光手段とが配置された携帯端末の前記非接触型ＩＣカードを読み取るための非接触型ＩＣカード読取装置であって、前記携帯端末が近接したことを検知する接近センサと、前記発光手段が発した光を受光する受光センサと、を備えることを特徴とする。
【発明の効果】
【０００９】
本発明によれば、携帯端末の操作者による操作ミスを回避するべく操作性を向上した非接触型ＩＣカード読取システムを提供することが可能となる。
【発明を実施するための最良の形態】
【００１０】
次に、本発明の実施の形態について図面を参照して詳細に説明する。
【００１１】
図１を参照すると、本発明の一実施の形態に係る非接触型ＩＣカード読取システムの一部を構成する携帯端末が示されている。この携帯端末は、非接触型ＩＣカードを内蔵した装置、例えば、電子財布機能を持った携帯電話が好ましい。図示のように、この携帯端末は、非接触型ＩＣカードが配置された面に発光部１を備える。
【００１２】
図２を参照すると、本発明の一実施の形態の非接触型ＩＣカード読取装置の構成が示されている。本装置は、ＩＣカード読み取り部２、接近センサ３、受光センサ４を備え、それぞれがＣＰＵ５に接続されている。ＣＰＵ５にはほかに、操作者に注意を喚起するための注意喚起部６が接続されている。注意喚起部６は、例えば、操作者に光の点滅で注意を喚起するランプや、注意喚起音を発生させる発音装置のようなものである。
【００１３】
図１の携帯端末は、情報送受信の準備完了状態となっている場合に、発光部１を発光させる。この状態で図２の非接触型ＩＣカード読取装置に接近させる。非接触型ＩＣカード読取装置は、携帯端末の接近を接近センサ３にて検知する。
【００１４】
図３では、図２のＣＰＵ５にて実行される注意喚起動作のフローが示されている。
【００１５】
図３を参照して注意喚起動作について説明する。接近センサ３にて携帯端末の接近を検知すると（ステップＳ１０１／Ｙｅｓ）、受光センサ４の監視を開始し、携帯端末が発する光を検知しようとする（ステップＳ１０２，１０３）。一定時間経過しても受光センサ４にて光を検知できない場合（ステップＳ１０２／Ｙｅｓ）、注意喚起部６にて、接近している携帯端末が正しく非接触型ＩＣカード配置面を非接触ＩＣカード読取装置に向けていないことを操作者に注意喚起する（ステップＳ１０４）。そうでない場合には、ＩＣカード読み取り処理を行う（ステップＳ１０５）。
【００１６】
上述のように、本実施形態の携帯端末と非接触型ＩＣカード読取装置は、携帯端末の非接触型ＩＣカードが配置された面に発光部１、非接触型ＩＣカード読取装置に受光センサ４を備え、非接触型ＩＣカード読取装置に携帯端末が近接した場合にその発光を確認することで、近接した携帯端末が非接触型ＩＣカード配置面を非接触型ＩＣカード読取装置に向けていないことを判断する。
【００１７】
そのため、携帯端末の向きによって、無線信号の読み取りが不可である場合にも対応できる。したがって、本実施形態によれば、操作者が携帯端末を読取装置にかざす際に、携帯端末の向きを間違えてしまったというような操作ミスを抑制することができ、その結果、操作性の向上が実現する。
【００１８】
さらに、本実施形態は、注意喚起部６を備える。そのため、本実施形態によれば、操作者に対して携帯端末の非接触型ＩＣカード配置面が正しい方向に向けていないという注意を喚起できるという有利な効果を奏することができる。その理由は、携帯端末の向きを非接触型ＩＣカード読取装置が判断できるからである。
【００１９】
以上、本発明の好適な実施の形態について説明したが、本発明はこれに限定されるものではなく、要旨を逸脱しない範囲内で種々の変形実施が可能である。
【００２０】
本発明の他の実施例として、その基本構成は図１及び図２の通りであるが、図２の注意喚起部６の代わりに、非接触ＩＣカード読取装置に接続されている上位装置へ通信にて、注意喚起情報を送信することとしてもよい。その場合、上位装置より操作者に注意を喚起することが可能であり、その場合、映像などより多くの注意喚起情報を操作者に与えることが可能となる。
【００２１】
また、携帯端末に発光部１の代わりに磁気部を備え、非接触型ＩＣカード読取装置に受光センサ４のかわりに磁気センサを備える構成とすることによっても、同様の効果を得ることができる。
【産業上の利用可能性】
【００２２】
本発明の活用例として、電子財布機能付きの携帯電話への利用があげられる。通常非接触ＩＣカードには電源を搭載していないが、携帯電話には電源が搭載されており、発光部を搭載することに何ら問題がなく、また、携帯電話は非接触型ＩＣカードの電波送受信面が一定の部分にあることが多く、注意喚起を行う必要がある状態が頻繁にあると考えられ、注意喚起は効果的である。
【図面の簡単な説明】
【００２３】
【図１】本発明の実施形態の携帯端末の外観斜視図である。
【図２】本発明の実施形態の非接触型ＩＣカード読取装置の構成を示す図である。
【図３】図２のＣＰＵ５にて実行される注意喚起動作を示すフローチャートである。
【符号の説明】
【００２４】
１    発光部
２    ＩＣカード読取部
３    接近センサ
４    受光センサ
５    ＣＰＵ
６    注意喚起部
【図１】
2009181181.tif 000003
【図２】
2009181181.tif 000004
【図３】
2009181181.tif 000005